(57)【要約】【課題】  外観をより魚に似せて魚の興味を従来のルアー以上に引き立てることができるルアーを提供する。【解決手段】  このルアーは、外形を魚に似せて形成されており、左右の側面に複数の鱗形片が上下方向（背部・腹部側方向）及び前後方向（頭部・尾部側方向）に並んで描かれているルアー本体１を備えるものである。ルアー本体１の鱗形片は、ルアー本体１の上下方向に於いてはその上下方向の中央付近が最大で上下側に至るに従って小さくなるように並んでいる。また、ルアー本体１の前後方向に於いては頭部側が最大で尾部側に至るに従って小さくなるように並んでいる。そして、上下方向の中央付近に於いて前後方向に並ぶ一列の鱗形片には各鱗形片にそれぞれ側線の点Ｘが描かれている。【選択図】      図１
2005210918.tif 000002
【特許請求の範囲】
【請求項１】
魚釣りに用いるルアーであって、
外形を魚に似せて形成されており、左右の側面に複数の鱗形片が上下方向（背部・腹部側方向）及び前後方向（頭部・尾部側方向）に並んで描かれているルアー本体を備え、
前記ルアー本体の鱗形片は、前記ルアー本体の上下方向に於いてはその上下方向の中央付近が最大で上下側に至るに従って小さくなるように並んでおり、前記ルアー本体の前後方向に於いては頭部側が最大で尾部側に至るに従って小さくなるように並んでおり、且つ、上下方向の中央付近に於いて前後方向に並ぶ一列の鱗形片には各鱗形片にそれぞれ側線の点が描かれている、ルアー。
【発明の詳細な説明】
【技術分野】
【０００１】
本発明は魚釣りに用いるルアーに関する。
【背景技術】
【０００２】
魚釣りには様々なルアーが用いられる。そして、これらのルアーには魚の興味を引き立てるために様々な工夫が施されている。一般に、多くのルアーのルアー本体は外形を魚に似せて形成されており、その周面には魚の目，鰭，鱗などの模様が魚に模して付されている。そして、これらのルアーのルアー本体の多くは金型による射出成型により形成されており、ルアー本体の鱗模様の形成は、起型の際の放電加工やエッチング加工等によって行われることになる。または、その形成はルアー本体を成形後に鱗模様のシールを貼付することによって行われている。
【０００３】
旧来、このような鱗模様のパターンは、その起型の際の煩雑性から同一の形状・大きさであり且つクロス方向に斜線を交差させた略菱形の模様を付したに留まり、魚の外観を表すにはリアリティーに欠けるものであった。しかし、本来の魚はその魚体全体において均一の形状・大きさの鱗を有するものではない。そこで、本発明者は、このような鱗模様のリアリティーを追及するべく、複数の鱗模様パターンを付したルアーを以前にも提案した（特許文献１参照）。
【０００４】
しかし、上述の提案に係るルアーの鱗模様も未だ十分に魚の外観をリアルに示すものではない。特に、クロス方向に斜線を交差させたに留まる鱗模様では、ルアー本体の周面での光の反射が単調となり、魚の興味を長くにわたって引き立てることができない。
【特許文献１】特開2001−197842号公報
【発明の開示】
【発明が解決しようとする課題】
【０００５】
本発明は、外観をより魚に似せて魚の興味を従来のルアー以上に引き立てることができる、ルアーを提供するものである。
【課題を解決するための手段】
【０００６】
本発明のルアーは、魚釣りに用いるルアーであって、外形を魚に似せて形成されており、左右の側面に複数の鱗形片が上下方向（背部・腹部側方向）及び前後方向（頭部・尾部側方向）に並んで描かれているルアー本体を備えるものである。このルアー本体の側面の鱗模様は一枚一枚の鱗形片を並べたものである。そして、個々の鱗形片は、ルアー本体の上下方向に於いてはその上下方向の中央付近が最大で上下側に至るに従って小さくなるように並んでいる。また、個々の鱗形片は、ルアー本体の前後方向に於いては頭部側が最大で尾部側に至るに従って小さくなるように並んでいる。さらに、上下方向の中央付近に於いて前後方向に並ぶ一列の鱗形片には、各鱗形片にそれぞれ側線の点が描かれている。
【０００７】
このような鱗形片を一枚一枚並べてルアー本体の側面に描くことで、リアリティーを高めている。また、個々の鱗形片が光の反射をランダムなものとしており、魚の興味を高めている。特に、このルアーでは、魚の有する側線の点も鱗模様として描かれており、しかも、その側線の点が、前後方向に大きさが変化する一列に並ぶ鱗形片にそれぞれ描かれて鱗片形の大きさの変化に伴って変化しており、リアリティーをさらに向上させている。
【０００８】
なお、このような鱗形片は、例えば、ルアー本体を射出成型により製造する際には、型に予め所定の鱗形片を附しておいて、形成することができる。具体的には、起型の際に放電加工，エッチング等で原型を作成する。この際にも、上述のような鱗形片の配列は有意義である。即ち、原型の作成においては、まず、側線を付すべき上下方向の中央付近において前後方向に並ぶ一列の鱗形片の加工を行う。そして、この一列の鱗型片を基準として、上下方向に大きさを徐々に小さくした鱗形片を並べて加工する。このように基準となるべき前後方向に並ぶ一列の鱗形片を基準とすることで、複数の鱗形片をきれいに隙間無く並列させた鱗模様を容易に形成できるのである。
【発明の効果】
【０００９】
本発明のルアーによれば、複数の鱗形片がその周面に並んでリアリティーに富み、また、光の反射も複雑化させて魚の興味をより引き立てることができる。
【発明を実施するための最良の形態】
【００１０】
以下、本発明の１つの実施形態について図面を参照しつつ説明する。
【００１１】
本発明の第１実施形態を採用したルアーは、図１に示すように、外形を魚に似せて形成したルアー本体１と、ルアー本体１の頭部側端部に設けられた釣糸を連結するためのアイ（釣糸連結部）２と、ルアー本体１の腹部底面付近及び尾部付近にそれぞれ設けられた釣針を連結するためのアイ３，４とを有している。例えば、アイ３，４にはそれぞれスプリットリングを介して釣針（図示せず）が連結される。また、アイ２には釣糸が連結される。
【００１２】
このルアー本体１は、硬質の合成樹脂からなる部材であって、外周面には魚に似せて目や後述の鱗の模様が形成されている。このルアー本体１は所定の形状に形成された左右一対の半割部材を開口側の貼り合わせ面で貼り合わせて一体化して製造されている。この一対の半割部材の貼り合わせ面にはそれぞれ頭部，腹部及び尾部において、アイ２〜４の一部を収納可能な収納窪みが形成されている。この収納窪みにそれぞれのアイ２〜４の一部を収納して、一対の半割部材を貼り合わせることで、これらのアイ２〜４がルアー本体１に固定される。また、必要に応じて、ルアー本体１の内部の中空の一部を区分けして錘収納部を形成してもよい。このような錘収納部内に、高比重の金属若しくは金属粉末を混入した合成樹脂等（例えば、スチール，タングステン等）を収納する。
【００１３】
このルアー本体１の左右の側面には、以下のように魚に似せた模様が附されている。まず、頭部付近には魚の目や鰓等に似せた模様が描かれ得ている。そして、この頭部付近を除いた左右の側面には鱗模様が描かれている。
【００１４】
この鱗模様は、図１に示すように、細かい小さな鱗形片を複数並べて形成したものである。個々の鱗形片は魚の個々の鱗の形状に似せたものである。この鱗形片は、ルアー本体１１の上下方向（背部・腹部側方向）及び前後方向（頭部・尾部側方向）に配列されている。そして、このルアー本体１の鱗形片は、ルアー本体１の上下方向に於いてはその上下方向の中央付近が最大で上下側に至るに従って小さくなるように並んでいる。また、鱗形片は、ルアー本体１の前後方向に於いては頭部側が最大で尾部側に至るに従って小さくなるように並んでいる。このような個々の鱗形片の大きさの変化はそれぞれの方向に於いて段階的に変化している。
【００１５】
さらに、このような複数の鱗形片の中で、特に、上下方向の中央付近に於いて前後方向に並ぶ一列の鱗形片には、その各鱗形片にそれぞれ側線の点（図１のＸ参照）が描かれている。このような魚の側線は、前後方向に並ぶ各鱗形片の大きさの変化に伴って、その間隔が前後方向において変化することになる。
【００１６】
このルアー本体１は、上述のように硬質の合成樹脂からなる半割部材を貼り合わせてなる中空のものであり、例えば、射出成型により製造可能である。このような製造に際しては、型に予め所定の鱗形片を附しておいて上述の鱗模様を形成可能である。具体的には、起型の際に放電加工，エッチング等で原型を作成する。この原型の作成においては、まず、側線を付すべき上下方向の中央付近において前後方向に並ぶ一列の鱗形片の加工を行う。そして、この一列の鱗型片を基準として、上下方向に大きさを徐々に小さくした鱗形片を並べて加工する。このように基準となるべき前後方向に並ぶ一列の鱗形片を基準とすることで、複数の鱗形片をきれいに隙間無く並列させた鱗模様を容易に形成できる。
【００１７】
以上のように、鱗形片を一枚一枚並べてルアー本体１の側面に描かれているので、このルアーはその外見上リアリティーが従来のルアーに比較して格段に向上している。また、個々の鱗形片が光の反射をランダムなものとしており、魚の興味を高めている。
【００１８】
なお、この実施形態のルアーは硬質合成樹脂からなる中空品を利用している。しかし、本発明はこのようなタイプのルアーに限定されるものではない。
【００１９】
例えば、スチール等の合金からなり外形を魚に似せた中実のメタルジグと呼ばれるタイプのルアーに、本発明を適用することも当然に可能である。
【図面の簡単な説明】
【００２０】
【図１】本発明に係るルアーを示した図。
【符号の説明】
【００２１】
１  ルアー本体
２〜４  アイ
Ｘ  側線
【図１】
2005210918.tif 000003